(57)【要約】  【課題】  施工性を向上できる多機能対応型シャワ設備を提供すること。  【解決手段】  上シャワ１と、吐水管２が接続される水栓本体３と、少なくとも前記上シャワからの吐出状態と前記吐水管２からの吐出状態を切替える切替手段４とを分割可能に設けるとともに、前記上シャワ１と水栓本体３と切替手段４とが設置可能なカバー５付きボックス部６を備え、少なくとも、前記上シャワ１のシャワヘッド７と、前記切替手段４の切替操作部材８と、前記吐水管２とが前記カバー５の前面に設置されている。  【選択図】  図２
2006000310.tif 000002
【特許請求の範囲】
【請求項１】
上シャワと、吐水管が接続される水栓本体と、少なくとも前記上シャワからの吐出状態と前記吐水管からの吐出状態を切替える切替手段とを分割可能に設けるとともに、前記上シャワと水栓本体と切替手段とが設置可能なカバー付きボックス部を備え、少なくとも、前記上シャワのシャワヘッドと、前記切替手段の切替操作部材と、前記吐水管とが前記カバーの前面に設置されていることを特徴とする多機能対応型シャワ設備。
【請求項２】
前記シャワヘッドが簡易着脱機構を介して前記上シャワの上シャワ本体に接続されるとともに、前記吐水管が簡易着脱機構を介して前記水栓本体に接続される請求項１に記載の多機能対応型シャワ設備。
【請求項３】
前記水栓本体と切替手段が、可撓性のパイプを介して接続されるとともに、前記切替手段と上シャワが、可撓性のパイプを介して接続される請求項１または請求項２に記載の多機能対応型シャワ設備。
【請求項４】
前記ボックス部が、底部と両側部を備えたケースよりなる請求項１〜請求項３のいずれかに記載の多機能対応型シャワ設備。
【請求項５】
前記ケースおよびカバーをそれぞれ上中下に３分割し、上部分に前記上シャワを設置し、中間部分に前記切替手段を設置し、下部分に前記水栓本体を設置してある請求項４に記載の多機能対応型シャワ設備。
【請求項６】
前記上シャワを前記切替手段の下流側に設けるとともに、複数の吐出部を有するボディシャワを前記切替手段の下流側に設け、前記切替手段が、前記上シャワからの吐出状態と前記吐水管からの吐出状態と前記ボディシャワからの吐出状態とに切替可能に構成され、さらに、前記ボディシャワのシャワヘッドが簡易着脱機構を介して前記ボディシャワのボディ本体に接続されている請求項１〜請求項５のいずれかに記載の多機能対応型シャワ設備。
【請求項７】
ハンドシャワを前記切替手段の下流側に設け、前記ハンドシャワと前記ボディシャワとからの吐出が同時に行えるように構成した請求項６に記載の多機能対応型シャワ設備。
【請求項８】
前記ボックス部が、浴室等の壁面の前面に突出した状態で縦長に設置されるか、または、前記壁面に設けた縦溝内に縦長に形成される請求項１〜請求項７のいずれかに記載の多機能対応型シャワ設備。
【発明の詳細な説明】
【技術分野】
【０００１】
この発明は、多機能対応型シャワ設備に関する。
【背景技術】
【０００２】
本出願人は、上シャワと、複数の吐出部を有するボディシャワと、ハンドシャワとを備えた中空の柱体が、水栓本体上に設置されるか、または、この水栓本体から離れた位置に設置されるよう構成されている多機能対応型シャワを提案している（特願２００３−３０２５４２号明細書・図面参照）。これは、流路切換手段を介して、中空の柱体の内部に設けた上シャワ供給流路、ボディシャワ供給流路、ハンドシャワ供給流路に水栓本体供給流路を連通するだけで、前記柱体を水栓本体から離れた位置に設置でき、使用勝手が良いというものである。
【発明の開示】
【発明が解決しようとする課題】
【０００３】
しかしながら、中空の縦長の柱体は金属性で重たく、また、例えば上シャワを柱体に設置するときなどの組付け性も問題があり、これを例えば浴室に設置する場合施工性は必ずしも良くはなかった。また、上シャワを清掃したり取り替えるときなどのメンテナンスにも問題があった。
【０００４】
この発明は、上述の事柄に留意してなされたもので、その目的は、施工性を向上できる多機能対応型シャワ設備を提供することである。
【課題を解決するための手段】
【０００５】
上記目的を達成するために、この発明の多機能対応型シャワ設備は、上シャワと、吐水管が接続される水栓本体と、少なくとも前記上シャワからの吐出状態と前記吐水管からの吐出状態を切替える切替手段とを分割可能に設けるとともに、前記上シャワと水栓本体と切替手段とが設置可能なカバー付きボックス部を備え、少なくとも、前記上シャワのシャワヘッドと、前記切替手段の切替操作部材と、前記吐水管とが前記カバーの前面に設置されていることを特徴とする。
【発明の効果】
【０００６】
この発明では、上シャワと、吐水管が接続される水栓本体と、少なくとも前記上シャワからの吐出状態と前記吐水管からの吐出状態を切替える切替手段とを分割可能に設けたので、施工性を向上できるとともにメンテナンスを良好にできる。
【０００７】
また、この発明では、前記上シャワと水栓本体と切替手段とが設置可能なカバー付きボックス部を備え、少なくとも、前記上シャワのシャワヘッドと、前記切替手段の切替操作部材と、前記吐水管とを前記カバーの前面に設置するので、水栓本体と切替手段を接続するパイプや、前記切替手段と上シャワを接続するパイプ、さらには、上シャワの上シャワ本体、水栓本体などをカバーで覆うことができ、意匠性に優れている。
【０００８】
さらに、例えば浴室に設置する場合、前記カバーによって前記パイプ、上シャワの上シャワ本体、水栓本体を湯水に触れにくくでき、これらの耐久性を向上できる。
【０００９】
また、前記カバーによって前記上シャワの上シャワ本体、水栓本体を覆うので、通常は例えば前記水栓本体の外観の見栄をよくするために施されるをバフ仕上げおよびメッキ加工の工程を省くことができ、安価にできる。
【発明を実施するための最良の形態】
【００１０】
以下、この発明の実施形態を、図を参照しながら説明する。なお、それによってこの発明は限定されるものではない。
【００１１】
図１〜図４は、この発明の第１の実施形態を示す。
図１〜図４において、多機能対応型シャワ設備Ｊは、上シャワ１と、吐水管２が接続される筒状の湯水混合栓本体（以下、水栓本体という）３と、上シャワ１からの吐出状態と吐水管２からの吐出状態を切替える切替手段４とを分割可能に設けるとともに、上シャワ１と水栓本体３と切替手段４とが設置可能なカバー５付きボックス部６とを主として備えている。前記ボックス部６は、例えば浴室の壁面Ｗの前面ａに突出した状態で縦長に設置されている。前記ボックス部６は、正面視縦長の矩形形状を有する底部Ｂと、正面向かって右に位置し、側面視縦長の矩形形状を有する右側部Ｃと、正面向かって左に位置し、側面視縦長の矩形形状を有する左側部Ｄと、上板部Ｅと、下板部Ｆを備えたケースよりなるユニット型である。上板部Ｅは、コ字形の端面と、カバー５の前面Ａ側に向かって円弧状に湾曲する端面を有する。下板部Ｆは、上板部Ｅと同一形状である。
【００１２】
９は、複数の吐出孔１０を有するボディシャワで、シャワヘッド１１とボディ本体１１ａとよりなる。そして、シャワヘッド１１が前記カバー５の前面Ａに使用可能に設置されている。また、上シャワ１は、前記シャワヘッド７と、ボックス部６内に収容された状態でカバー５で覆われる上シャワ本体１２とよりなる。そして、シャワヘッド７が前記カバー５の前面Ａに設置されている。また、吐水管２が、前記カバー５の前面Ａに設置されている。また、切替手段４の切替操作部材８が、前記カバー５の前面Ａに設置されている。
【００１３】
前記カバー５は、上部に前記上シャワ１のシャワヘッド７のパイプ部７ａの上流端に設けた継手３０が挿通可能な大きさの孔５ａを、中間部に前記ボディシャワ９のシャワヘッド１１の上流端に設けた継手１３が挿通可能な大きさの孔５ｂを、下部に吐水管２の上流端に設けた継手１４が挿通可能な大きさの孔５ｃをそれぞれ有する。また、前記カバー５は、前記切替操作部材８が突出する窓１５を、孔５ｂと孔５ｃ間に有する。窓１５は、正面向かって左右に切替操作部材８が移動可能な大きさを有する。そして、前記上シャワ１を前記切替手段４の下流側に設けるとともに、複数の吐出部１０を有するボディシャワ９を前記切替手段４の下流側に設けており、切替操作部材８を操作することにより、前記上シャワ１からの吐出状態と前記吐水管２からの吐出状態と前記ボディシャワ９からの吐出状態とに切替可能になるよう前記切替手段４が構成されている。  
【００１４】
更に、水栓本体３の長手方向を上下の方向に沿わせた状態にして水栓本体３を壁面Ｗに取り付けてある。水栓本体３は、壁面Ｗの背面側から壁面Ｗの前面ａ側に突出した水配管の継手２１および湯配管の継手２２にそれぞれ接続可能な継手部２３，２４を背面に有し、また、吐水管２の継手１４に接続可能な湯水混合水導出用の継手部２５を前面に有する。また、前記水栓本体３は、正面向かって上側に吐水管接続用の前記継手部２５を有するとともに、下側に温調ハンドル２６を有する。そして、前記切替手段４は、吐水操作、止水操作、流量調整操作可能で、かつ、上シャワ１からの吐出状態と前記吐水管２からの吐出状態と前記ボディシャワ９からの吐出状態に切替可能な前記切替操作部材８を有する。
【００１５】
次に、前記上シャワ１のシャワヘッド７と前記上シャワ１の上シャワ本体１２の接続機構について説明する。前記継手３０は、上シャワ１のシャワヘッド７のパイプ部７ａの上流端に設けた継手であるが、パイプ部７ａの上流端の流入口７ｃに螺着されている。
前記継手３０は、開口３０ａの周囲にフランジ３１を有し、このフランジ３１の奥に周溝３２が設けられており、更に、内部に小径部分３３の径より幾らか大きな直径を持つ球形状の弁体３４を有し、この弁体３４および弁体３４より下流側に位置する中央筒部３５間にバネ体３６が介挿されている。一方、上シャワ１の上シャワ本体１２に設けた継手部３７は同心円状に配置される２重の筒体３８，３９、小球４０…及び前記内側の筒体３９の中心軸上に配置される押し棒４１から成っており、外側の筒体３８は、内側の筒体３９に対して図中のＦの方向に摺動できるように構成されている。前記内側の筒体３９には、内周の方が外周よりも小さい開口を持つ４つの貫通穴ｔが穿設されており、この４つの穴ｔに内周の開口よりも少し大きい直径を持つ前記小球４０…が嵌装されている。また、この小球４０…は、それぞれ前記外側の筒体３８によって内側に押圧されるようになっている。
【００１６】
上シャワ１のシャワヘッド７を上シャワ本体１２に装着するときは、継手部３７の外側の筒体３８を矢印Ｆの方向に摺動させ、前記小球４０…に対する押圧力を解除した状態でこれをパイプ部７ａの上流端の流入口７ｃに螺着された継手３０に嵌入する。このとき、前記小球４０…は前記周溝３２上に位置し、前記外側の筒体３８を矢印Ｆと逆の方向に（つまり元の位置へ）摺動させると前記小球４０…は再び内側に押圧されて周溝３２内においてフランジ３１を強固に掴持するようになると共に、前記押し棒４１は継手３０内に組み込まれた弁体３４を押す。このため上シャワ本体１２からシャワヘッド７へ水を供給できるようになる。
【００１７】
逆に、メンテナンス等でシャワヘッド７を上シャワ本体１２の接合を解除するときには、継手部３７の外側の筒体３８を矢印Ｆの方向に摺動させると、前記小球４０…による掴持力が解除されて、シャワヘッド７の継手３０は容易に上シャワ本体１２の継手部３７から挿脱できると共に、前記押し棒４１による弁体３４の押圧も解除される。
【００１８】
以上説明したような簡易着脱機構は、上シャワ１の前記シャワヘッド７と上シャワ１の前記上シャワ本体１２の接続に限らず、以下のケースにも同一の簡易着脱機構が適用されている。すなわち、吐水管２と水栓本体３の接続、ボディシャワ９のシャワヘッド１１とボディ本体１１ａの接続、水栓本体３と切替手段４を簡易着脱自在に接続する可撓性のパイプ４２の下流端と切替手段４の接続ならびに可撓性のパイプ４２の上流端と水栓本体３の接続、切替手段４と上シャワ１を簡易着脱自在に接続する可撓性のパイプ４３の下流端と上シャワ本体１２の接続ならびに可撓性のパイプ４３の上流端と切替手段４の接続の場合である。なお、前記継手１３，１４と前記継手３０は同一構造である。また、湯水混合水導出用の前記継手部２５とボディシャワ９のボディ本体１１ａに設けた継手部４５と前記継手部３７は同一構造である。また、可撓性のパイプ４２は上下流端にそれぞれ前記継手部３７と同一構造の継手部３７ａを有する。また、可撓性のパイプ４３は上下流端にそれぞれ前記継手部３７と同一構造の継手部３７ｂを有する。さらに、上シャワ本体１２とボディ本体１１ａには、それぞれ、継手部３７ａに着脱自在に接続する、継手３０と同一構造の継手（図示せず）が設けられている。また、水栓本体３とボディ本体１１ａには、それぞれ、継手部３７ｂに着脱自在に接続する、継手３０と同一構造の継手（図示せず）が設けられている。
【００１９】
前記水栓本体３内には、セラミック製の固定弁体（固定ディスク）と、セラミック製の可動弁体（可動ディスク）とで構成される弁部が設けられており、切替操作部材８を止水状態から例えば吐水管２吐出モードに設定した後、切替操作部材８を、例えば正面向かって右方向に直線移動させて行くと、可動ディスクが固定ディスクの摺動面上を回転する。この場合、可動ディスクが回転するにつれて可動ディスクの裏面に設けた切欠と、固定ディスクの弁孔との整合開度が増し、前記可撓性のパイプ４２から切替手段４を介して可撓性のパイプ５０に至り、この可撓性のパイプ５０を通り湯水混合水導出用の継手部２５を介して吐水管２から吐出する混合水の吐出流量が増大する。一方、切替操作部材８を正面向かって左方向に直線移動させて行くと、吐水管２から吐出する混合水の吐出流量が減少して可動ディスクの裏面が固定ディスクの弁孔を閉塞した時点で止水状態になる。  
【００２０】
そして、前記可撓性のパイプ５０は、上下流端にそれぞれ前記継手部３７と同一構造の継手部３７ｃを有する。また、水栓本体３とボディ本体１１ａには、それぞれ、継手部３７ｃに着脱自在に接続する、継手３０と同一構造の継手（図示せず）が設けられている。
【００２１】
前記ボックス部６は、ボックス部６を壁面Ｗの前面ａに固定するためのビス５１が挿通可能な複数のビス孔５２を底部Ｂに有する。また、底部Ｂには、上シャワ本体１２を底部Ｂの上部位置に固定するために用いられるビス５４用の複数のねじ孔５５が設けられている。また、底部Ｂには、ボディ本体１１ａを取付用ブラケット５６を介して底部Ｂの中間位置に固定するために用いられるビス５７用の複数のねじ孔５８が設けられている。また、底部Ｂには、水栓本体３の背面に位置するよう背面から突出した前記継手部２３，２４が挿通可能な孔５９，６０が設けられている。また、カバー５とボックス部６は、係止爪と係止溝の係止機構で容易に着脱自在に装着できるように構成されている。
【００２２】
而して、ボックス部６内に、上シャワ本体１２とボディ本体１１ａを固定設置するとともに、水栓本体３を設置する。この場合、底部Ｂの上部位置に上シャワ本体１２を固定設置し、中間位置にボディ本体１１ａを固定設置し、下部位置に水栓本体３を設置するとともに、上シャワ本体１２とボディ本体１１ａを可撓性のパイプ４３で容易に接続できる。また、ボディ本体１１ａと水栓本体３を可撓性のパイプ４２，５０で容易に接続できる。このようにして、上シャワ本体１２とボディ本体１１ａと水栓本体３をボックス部６内に収容した状態で、ボックス部６を壁面Ｗの前面ａに固定する。続いて、ボックス部６にカバー５を装着し、続いて、上シャワ本体１２、ボディ本体１１ａ、水栓本体３を被うようにボックス部６をカバー５で蓋する。この時、上シャワ１の継手３０を孔５ａを介して上シャワ本体１２に設けた継手部３７に装着するとともに、ボディシャワ９のシャワヘッド１１の上流端に設けた継手１３を孔５ｂを介してボディ本体１１ａの継手部４５に接続し、また、吐水管２の継手１４を孔５ｃを介して水栓本体３の継手部２５に接続し、窓１５に切替操作部材８を突出状態で位置させる。
【００２３】
例えば、ボックス部６、カバー５を合成樹脂製にしてカバー５の前面Ａやボックス部６の外面に色を塗ったり等して着色すれば意匠性を向上でき、見栄えがする。
なお、上記実施形態では、多機能対応型シャワ設備Ｊとして、前記ボックス部６が、浴室の壁面Ｗの前面ａに突出した状態で縦長に設置される、いわゆる、露出型の一体型シャワユニットを示したが、図１に二点鎖線で示したように、ボックス部６’を、前記壁面Ｗに設けた縦溝９９内に縦長に形成する、いわゆる、埋込型の一体型シャワユニットを採用してもよい。
また、上記実施形態で用いた前記可撓性のパイプ４２，４３，５０に限定されるものではなく、この発明では、例えば架橋ポリエチレンまたは架橋ポリブデンあるいは塩ビなどの硬質の樹脂パイプや、金属パイプを用いてもよい。
【００２４】
図５は、ボディシャワ９に代えてハンドシャワ９’を設けたこの発明の第２の実施形態を示す。図５において、図１〜図４で示した符号と同一のものは同一または相当物である。図５において、７０は、シャワホース、７１は、シャワヘッド、７２は、カバー５の右側部Ｃに設けたシャワヘッド掛け具である。
【００２５】
図６は、ボディシャワ９とハンドシャワ９’の両方をボディ本体１１ａに設け、ハンドシャワ９’とボディシャワ９とからの吐出が同時に行えるように構成したこの発明の第３の実施形態を示す。図６において、図１〜図５で示した符号と同一のものは同一または相当物である。
以上の各実施形態では多機能対応型シャワ設備Ｊとして一体型シャワユニット（露出型および埋込型）を示した。
【００２６】
図７は、この発明の第４の実施形態を示す。図７において、図１〜図６で示した符号と同一のものは同一または相当物である。
図７において、この実施形態では、ケース（ボックス部）６およびカバー５をそれぞれ上中下に３分割して上シャワ１用のモジュールと切替手段４用のモジュールと水栓本体３用のモジュールとし、多機能対応型シャワ設備Ｊをモジュールシャワユニット（露出型でもよいし、埋込型でもよい。）に構成している。すなわち、ケース（ボックス部）６の上部分６ａにシャワヘッド７と上シャワ本体１２とよりなる前記上シャワ１を設置し、ケース（ボックス部）６の中間部分６ｂに切替手段４、切替操作部材８、ならびに、シャワヘッド１１とボディ本体１１ａよりなるボディシャワ９を設置し、ケース（ボックス部）６の下部分６ｃに前記吐水管２および水栓本体２を設置してある。そして、上部分６ａ、中間部分６ｂおよび下部分６ｃにそれぞれ対応して、カバー５は、上部分８０、中間部分８１および下部分８２に３分割されている。そして、この実施形態では、多機能対応型シャワ設備Ｊのカバー付きボックス部を上記のように三つのモジュール６ａ，８０、６ｂ，８１、６ｃ，８２に分け、各モジュール６ａ，８０、６ｂ，８１、６ｃ，８２にそれぞれ上シャワ１と、切替手段４、切替操作部材８およびボディシャワ９と、吐水管２および水栓本体２とを設置したので、施工性をより向上できるとともに、メンテナンスも更に良好になる。
【図面の簡単な説明】
【００２７】
【図１】この発明の第１の実施形態における二つの使用状態を同時に示す斜視図である。
【図２】上記実施形態における分解斜視図である。
【図３】上記実施形態で用いた簡易着脱機構の一方の継手を示す構成説明図である。
【図４】上記実施形態で用いた簡易着脱機構を示す斜視図である。
【図５】この発明の第２の実施形態を示す斜視図である。
【図６】この発明の第３の実施形態を示す斜視図である。
【図７】この発明の第４の実施形態を示す分解斜視図である。
【符号の説明】
【００２８】
１        上シャワ
２        吐水管
３        水栓本体
４        切替手段
５        カバー
６        カバー付きボックス部
７        シャワヘッド
８        切替操作部材
Ａ        カバーの前面  
Ｊ        多機能対応型シャワ設備    
【図１】
2006000310.tif 000003
【図２】
2006000310.tif 000004
【図３】
2006000310.tif 000005
【図４】
2006000310.tif 000006
【図５】
2006000310.tif 000007
【図６】
2006000310.tif 000008
【図７】
2006000310.tif 000009